(57)【要約】【課題】  複数のスタッドサイズに適合し、人間工学的な設置力要件を満たす押込み式締結具を提供すること。【解決手段】押込み式締結具が、基部と、第１の径方向返し部と、軸方向支持部と、第２の径方向返し部と、突出部とを備える。基部には開口部が形成されている。第１の径方向返し部は基部から突出する。軸方向支持部は基部から延在する。第２の径方向返し部は軸方向支持部から突出する。突出部は軸方向支持部から突出する。【選択図】図１
2020159555.tif 000002
【特許請求の範囲】
【請求項１】
開口部を有した基部と、
前記基部から突出する第１の径方向返し部と、
前記基部から延在する軸方向支持部と、
前記軸方向支持部から突出する第２の径方向返し部と、
前記軸方向支持部から突出する突出部とを具備する押込み式締結具。
【請求項２】
前記第１の径方向返し部は前記開口部内に突出する請求項１に記載の押込み式締結具。
【請求項３】
前記第２の径方向返し部は弧状である請求項１に記載の押込み式締結具。
【請求項４】
前記基部に連結される取付け機構を更に具備する請求項１に記載の押込み式締結具。
【請求項５】
前記取付け機構は、テーパー状の傾斜部を介して前記基部に連結される請求項４に記載の押込み式締結具。
【請求項６】
前記軸方向支持部に連結される横方向バーを更に具備する請求項１に記載の押込み式締結具。
【請求項７】
前記横方向バーから延在する弧状柱を更に具備する請求項６に記載の押込み式締結具。
【請求項８】
前記突出部は、第１の突出部であり、前記押込み式締結具は、前記横方向バーから延在する第２の突出部を更に具備する請求項６に記載の押込み式締結具。
【請求項９】
前記軸方向支持部は、第１の軸方向支持部であり、前記押込み式締結具は、前記基部および前記横方向バーに連結される第２の軸方向支持部を更に具備する請求項６に記載の押込み式締結具。
【請求項１０】
前記横方向バーは第１の横方向バーであり、
前記押込み式締結具は、
前記基部および前記第１の横方向バーに連結される第３の軸方向支持部と、
前記第２の軸方向支持部および前記第３の軸方向支持部に連結される第２の横方向バーとを更に具備する請求項９に記載の押込み式締結具。
【請求項１１】
前記軸方向支持部は第１の軸方向支持部であり、
前記押込み式締結具は、
第２の軸方向支持部と、
前記第２の軸方向支持部から前記第２の径方向返し部に向かって延在する停止部とを更に具備する請求項１に記載の押込み式締結具。
【請求項１２】
前記押込み式締結具は、前記第２の軸方向支持部から回動可能に延在する歯形レバーを更に備え、
前記停止部は、前記第２の軸方向支持部に対する前記歯形レバーの旋回動作を制限する請求項１１に記載の押込み式締結具。
【請求項１３】
前記軸方向支持部は第１の軸方向支持部であり、
前記押込み式締結具は、
第２の軸方向支持部と、
前記基部から突出する停止部とを更に具備する請求項１に記載の押込み式締結具。
【請求項１４】
前記押込み式締結具は、前記第２の軸方向支持部から回動可能に延在する歯形レバーを更に備え、
前記停止部は、前記第２の軸方向支持部に対する前記歯形レバーの旋回動作を制限する請求項１３に記載の押込み式締結具。
【請求項１５】
前記第２の径方向返し部は、前記開口部の上を遮る請求項１に記載の押込み式締結具。
【請求項１６】
開口部を有した基部と、
前記基部から突出する第１の径方向返し部と、
前記基部から突出する軸方向支持部と、
前記軸方向支持部から突出する第２の径方向返し部とを備える本体と、
前記本体とともに開口部を選択的に形成するように、前記本体に対して回動可能に連結されるカバーとを具備する押込み式締結具。
【請求項１７】
前記カバーは、横方向バーと、該横方向バーから延在する突出部とを具備する請求項１６に記載の押込み式締結具。
【請求項１８】
前記第２の径方向返し部は前記開口部の上を遮る請求項１６に記載の押込み式締結具。
【請求項１９】
開口部を有した基部と、
前記開口部の上を遮るとともに、スタッドにラチェット式に係合する形状の複数の返し部とを具備する押込み式締結具。
【請求項２０】
前記開口部に向かって延在する突出部を更に具備する請求項１９に記載の押込み式締結具。
【発明の詳細な説明】
【技術分野】
【０００１】
［関連出願］
本開示は、包括的には、自動車用締結具に関し、より詳細には、調整可能な押込みスタッド締結具に関する。
【０００２】
なお、本願は、２０１９年３月２７日出願の米国仮特許出願第62/824,758号の優先権を主張し、本願と一体をなすものとしてこの米国仮特許出願引用する。
【背景技術】
【０００３】
近年、種々の部品を車体に取り付けるために、ねじ切りされた車体スタッドのねじ山にスナップ式に係合する押込み式締結具が開発されている。例えば、押込み式締結具には、種々の取付け機構（例えば、フック、クランプ、ハンガー等）が備わっていることが多い。押込み式締結具は、スタッドに係合する。取付け機構は、車両部品を押込み式締結具に連結する。
【０００４】
或る特定の既知の押込み式締結具は、内側に面する返し部を備える。押込み式締結具がねじ切りされたスタッドに押し込まれると、返し部がスタッドのねじ山に係合し、押込み式締結具をスタッド上に保持する。
【０００５】
然しながら、これらの既知の押込み式締結具は、複数のスタッドサイズに対して機能せず、かつ／またはスタッドに押し込むために高い設置力を必要とする。
【発明の概要】
【発明が解決しようとする課題】
【０００６】
従って、複数のスタッドサイズに適合し、人間工学的な設置力要件を満たす押込み式締結具が必要とされている。
【課題を解決するための手段】
【０００７】
１つの態様において、基部と、第１の径方向返し部と、軸方向支持部と、第２の径方向返し部と、突出部とを備える押込み式締結具が開示される。基部には開口部が形成されている。第１の径方向返し部は基部から突出する。軸方向支持部は基部から延在する。第２の径方向返し部は軸方向支持部から突出する。突出部は軸方向支持部から突出する。
【０００８】
別の態様では、本体とカバーとを備える押込み式締結具が開示される。本体は、基部と、第１の径方向返し部と、軸方向支持部と、第２の径方向返し部とを備える。基部には開口部が形成されている。第１の径方向返し部は基部から突出する。軸方向支持部は基部から延在する。第２の径方向返し部は軸方向支持部から突出する。カバーは、本体とともに開口部を選択的に形成するように、本体に回動可能に連結される。
【０００９】
別の態様において、基部と複数の返し部とを備える押込み式締結具が開示される。基部には、開口部が形成されている。複数の返し部は、開口部の上を遮り（overshadow）、スタッドにラチェット式に係合する形状を有している。
【図面の簡単な説明】
【００１０】
【図１】第１の例の押込み式締結具の斜視図である。
【図２】図１の押込み式締結具の部分立面図である。
【図３】図１、２の押込み式締結具の図２の部分Ａの部分拡大立面図である。
【図４】図１〜図３の押込み式締結具の図２の部分Ａの部分拡大斜視図である。
【図５】図４の線５−５に沿う、図１〜図４の押込み式締結具の図２の部分Ａの部分拡大断面斜視図である。
【図６】図２の線６−６に沿う、図１〜図５の押込み式締結具の部分Ｂの部分断面図である。
【図７】図１〜図６の押込み式締結具の図２の部分Ｃの部分拡大斜視図である。
【図８】図１〜図７の押込み式締結具の図７の部分Ｄの部分拡大斜視図である。
【図９】図２の線９−９に沿う図１〜図８の押込み式締結具の断面図である。
【図１０】線６−６に沿う、第１のスタッドに設置された図１〜図９の押込み式締結具の断面図である。
【図１１】線６−６に沿う、第２のスタッドに設置された図１〜図９の押込み式締結具の断面図である。
【図１２】開放位置にある第２の例の押込み式締結具の立面図である。
【図１３】閉鎖位置にある図１２の押込み式締結具の立面図である。
【発明を実施するための形態】
【００１１】
本明細書において説明するように、本開示は、複数のスタッドサイズに適合する押込み式締結具を提供する。更に、押込み式締結具は、人間工学的要件を満たすように設置に要する力を低減することができる。非限定的な例として、押込み式締結具は、車両部品に係合するために結束バンド、フック、ハンガー、クランプ等を備えることができる。
【００１２】
図１〜図８を参照すると、押込み式締結具１００は本体１０４および複数のスタッド係合機構１０６を備える。本体１０４は、頂部１１０および基部１１２を備える。図５、６、１０、１１を参照すると、基部１１２には、第１の切欠き部１１４と、第２の切欠き部１１６と、開口部１１８とが形成されている。
【００１３】
図２〜図４および図７〜図９を参照すると、本体１０４は、また、第１の軸方向支持部１２２、第２の軸方向支持部１２４および第３の軸方向支持部１２６を備える。図５〜図８を参照すると、本体１０４は、また、第４の軸方向支持部１２８を備える。図７を参照すると、第１の軸方向支持部１２２は、第３の軸方向支持部１２６の反対側にある。第２の軸方向支持部１２４は、第４の軸方向支持部１２８の反対側にある。第１の軸方向支持部１２２、第２の軸方向支持部１２４、第３の軸方向支持部１２６および第４の軸方向支持部１２８は、互いに対して概ね平行である。第１の軸方向支持部１２２は、第２の軸方向支持部１２４と第４の軸方向支持部１２８との間にある。第３の軸方向支持部１２６も、第２の軸方向支持部１２４と第４の軸方向支持部１２８との間にある。第２の軸方向支持部１２４は、第１の軸方向支持部１２２と第３の軸方向支持部１２６との間にある。第４の軸方向支持部１２８も、第１の軸方向支持部１２２と第３の軸方向支持部１２６との間にある。
【００１４】
図２および図６〜図９を参照すると、本体１０４は、また、第１の横方向バー１３２、第２の横方向バー１３４および第３の横方向バー１３６を備える。図７を参照すると、第１の横方向バー１３２および第３の横方向バー１３６は、第２の横方向バー１３４の反対側にある。第２の横方向バー１３４は、第１の横方向バー１３２と第３の横方向バー１３６との間にある。第１の横方向バー１３２、第２の横方向バー１３４および第３の横方向バー１３６は、互いに対して概ね平行である。第１の横方向バー１３２および第３の横方向バー１３６は、第１の軸方向支持部１２２および第３の軸方向支持部１２６に対して概ね垂直に連結され、第１の軸方向支持部１２２と第３の軸方向支持部１２６との間に延在する。第２の横方向バー１３４は、第１の軸方向支持部１２２および第３の軸方向支持部１２６に対して概ね垂直に連結され、第１の軸方向支持部１２２と第３の軸方向支持部１２６との間に延在する。図６を参照すると、第２の軸方向支持部１２４は、第２の横方向バー１３４および基部１１２に対して概ね垂直に連結され、第２の横方向バー１３４と基部１１２との間に延在する。第４の軸方向支持部１２８は、第３の横方向バー１３６および基部１１２に対して概ね垂直に連結され、第３の横方向バー１３６と基部１１２との間に延在する。
【００１５】
図１、２、７を参照すると、頂部１１０は、部品取付け機構１３８および傾斜部１４０を備える。図１、２の例では、部品取付け機構１３８は、結束バンドである。図７を参照すると、傾斜部１４０は、部品取付け機構１３８と、第１の軸方向支持部１２２と、第３の軸方向支持部１２６とに連結され、部品取付け機構１３８と、第１の軸方向支持部１２２と、第３の軸方向支持部１２６との間に延在する。部品取付け機構１３８は、傾斜部１４０から、第１の軸方向支持部１２２および第３の軸方向支持部１２６の反対側に延在する。部品取付け機構１３８は、第１の横方向バー１３２、第２の横方向バー１３４および第３の横方向バー１３６よりも幅狭である。従って、傾斜部１４０は、先細りになっている。いくつかの実施形態において、傾斜部１４０は、アーチ状および／またははブリッジ形になっている。
【００１６】
図２、３、４を参照すると、複数のスタッド係合機構１０６は、第１の歯形レバー１４２と、第２の歯形レバー１４４と、第３の歯形レバー１４６と、第４の歯形レバー１４８とを備える。図４を参照すると、第１の歯形レバー１４２および第３の歯形レバー１４６は、第１の軸方向支持部１２２に弾性的に回動可能に連結され、第１の軸方向支持部１２２から延在する。第２の歯形レバー１４４および第４の歯形レバー１４８は、第３の軸方向支持部１２６に弾性的に回動可能に連結され、第３の軸方向支持部１２６から延在する。第１の歯形レバー１４２および第３の歯形レバー１４６は、第２の歯形レバー１４４および第４の歯形レバー１４８の反対側にある。第１の歯形レバー１４２および第２の歯形レバー１４４は、互いに向かって延在する。第３の歯形レバー１４６および第４の歯形レバー１４８は、互いに向かって延在する。第１の歯形レバー１４２、第２の歯形レバー１４４、第３の歯形レバー１４６および第４の歯形レバー１４８は、開口部１１８の上を遮る。
【００１７】
図２、３、４を参照すると、複数のスタッド係合機構１０６は、また、第１の停止部１５２、第２の停止部１５４、第３の停止部１５６および第４の停止部１５８を備える。図４を参照すると、第１の停止部１５２は、第１の軸方向支持部１２２に連結され、第１の軸方向支持部１２２から延在する。第２の停止部１５４は、第３の軸方向支持部１２６に連結され、第３の軸方向支持部１２６から延在する。第１の停止部１５２および第２の停止部１５４は、互いに反対側にあり、互いに向かって延在する。第１の停止部１５２は、第１の歯形レバー１４２と第３の歯形レバー１４６との間にある。第２の停止部１５４は、第２の歯形レバー１４４と第４の歯形レバー１４８との間にある。第３の停止部１５６および第４の停止部１５８は、基部１１２に連結され、基部１１２から延在する。第３の停止部１５６および第４の停止部１５８は、互いに反対側にある。第３の停止部１５６および第４の停止部１５８は、第３の歯形レバー１４６および第４の歯形レバー１４８に向かって延在する。第３の停止部１５６および第４の停止部１５８によって、開口部１１８が部分的に形成される。
【００１８】
図２〜図４および図６を参照すると、複数のスタッド係合機構１０６は、また、第１の径方向返し部１６２および第２の径方向返し部１６４を備える。図４を特に参照すると、複数のスタッド係合機構１０６は、また、第３の径方向返し部１６６および第４の径方向返し部１６８を備える。第１の径方向返し部１６２および第２の径方向返し部１６４は、互いに反対側にある。第３の径方向返し部１６６および第４の径方向返し部１６８も、互いに反対側にある。第１の径方向返し部１６２は、第２の軸方向支持部１２４に弾性的に回動可能に連結され、第２の軸方向支持部１２４から第１の停止部１５２に向かって弧状に延在する。第２の径方向返し部１６４は、第４の軸方向支持部１２８（図示せず）に弾性的に回動可能に連結される。第２の径方向返し部１６４は、第２の停止部１５４に向かって弧状に延在する。第３の径方向返し部１６６および第４の径方向返し部１６８は、互いに反対側にある。第３の径方向返し部１６６および第４の径方向返し部１６８は、基部１１２に弾性的に回動可能に連結され、基部１１２から延在する。第３の径方向返し部１６６は、第３の停止部１５６に向かって開口部１１８内に突出する。第１の径方向返し部１６２および第２の径方向返し部１６４は、開口部１１８の上を遮る。第４の径方向返し部１６８は、第４の停止部１５８に向かって開口部１１８内に突出する。
【００１９】
図７〜図９を参照すると、複数のスタッド係合機構１０６は、また、第１の弧状柱１７２、第２の弧状柱１７４、第３の弧状柱１７６および第４の弧状柱１７８を備える。第１の弧状柱１７２および第２の弧状柱１７４は、第１の軸方向支持部１２２と第３の軸方向支持部１２６との間の第２の横方向バー１３４に連結され、第２の横方向バー１３４から延在する。第３の弧状柱１７６および第４の弧状柱１７８は、第１の軸方向支持部１２２と第３の軸方向支持部１２６との間の第３の横方向バー１３６に連結され、第３の横方向バー１３６から延在する。第１の弧状柱１７２、第２の弧状柱１７４、第３の弧状柱１７６および第４の弧状柱１７８は、スタッドに対する押込み式締結具１００の傾きを低減するように、スタッドに係合する形状を有している。いくつかの用途において、第１の弧状柱１７２、第２の弧状柱１７４、第３の弧状柱１７６および第４の弧状柱１７８は、スタッドに摺動可能に（例えば、隙間嵌めによって）嵌合する。いくつかの用途において、第１の弧状柱１７２、第２の弧状柱１７４、第３の弧状柱１７６、および第４の弧状柱１７８は、スタッドの周りでの押込み式締結具１００の回転を低減するように、スタッドに密接に（例えば、締まり嵌めによって）嵌合する。
【００２０】
図６を参照すると、複数のスタッド係合機構１０６は、また、第１の突出部１８２、第２の突出部１８４、第３の突出部１８６および第４の突出部１８８を備える。いくつかの用途において、第１の突出部１８２、第２の突出部１８４、第３の突出部１８６および／または第４の突出部１８８は、スタッドのねじ山に係合し、押込み式締結具１００を締め付けるとともに、押込み式締結具１００に対する径方向支持を与える。他の用途において、第１の突出部１８２、第２の突出部１８４、第３の突出部１８６および／または第４の突出部１８８は、スタッドに対して接線方向にあり、かつ／または、スタッドに対して僅かな隙間を有する。第３の突出部１８６は、第１の軸方向支持部１２２と第３の軸方向支持部１２６（図２に示す）との間の第２の軸方向支持部１２４に連結され、第２の軸方向支持部１２４から延在する。図９を参照すると、第１の突出部１８２は、第１の弧状柱１７２と第２の弧状柱１７４との間の第２の横方向バー１３４に連結され、第２の横方向バー１３４から延在する。第４の突出部１８８は、第３の弧状柱１７６と第４の弧状柱１７８との間の第３の横方向バー１３６に連結され、第３の横方向バー１３６から延在する。図７を参照すると、第２の突出部１８４は、第１の軸方向支持部１２２と第３の軸方向支持部１２６との間の第１の横方向バー１３２に連結され、第１の横方向バー１３２から延在する。
【００２１】
図１０を参照すると、押込み式締結具１００は、第１のスタッド１９２に係合するように適合される。第１のスタッド１９２には、雄ねじが切られている。押込み式締結具１００が第１のスタッド１９２に係合した場合、第１の突出部１８２、第２の突出部１８４、第３の突出部１８６、第４の突出部１８８、第１の歯形レバー１４２、第３の歯形レバー１４６、第１の径方向返し部１６２、第３の径方向返し部１６６、第１の弧状柱１７２、および第３の弧状柱１７６は、第１のスタッド１９２に接触する。押込み式締結具１００が第１のスタッド１９２に係合した場合、第２の歯形レバー１４４、第４の歯形レバー１４８、第２の径方向返し部１６４、第４の径方向返し部１６８、第２の弧状柱１７４および第４の弧状柱１７８も、第１のスタッド１９２に接触する（図示せず）ことを理解すべきである。
【００２２】
図１０を参照すると、動作時、第１のスタッド１９２が押込み式締結具１００に挿入される際、第１の歯形レバー１４２および第３の歯形レバー１４６は、第１の軸方向支持部１２２に対して撓み、第１のスタッド１９２にラチェット式に係合する。また、動作時、第１のスタッド１９２が押込み式締結具１００に挿入される際、第１の径方向返し部１６２は、第２の軸方向支持部１２４に対して撓み、第１のスタッド１９２にラチェット式に係合する。更に、動作時、第１のスタッド１９２が押込み式締結具１００に挿入される際、第３の径方向返し部１６６は、基部１１２に対して撓み、第１のスタッド１９２にラチェット式に係合する。換言すれば、第１のスタッド１９２が、第１の歯形レバー１４２、第３の歯形レバー１４６、第１の径方向返し部１６２および第３の径方向返し部１６６に押し当てられ、横切る際、第１の歯形レバー１４２、第３の歯形レバー１４６、第１の径方向返し部１６２および第３の径方向返し部１６６は、連続的に、雄ねじ付きの第１のスタッド１９２から離れる方向に曲がり、第１のスタッド１９２に対して跳ね返る。動作時、第１のスタッド１９２が押込み式締結具１００に挿入される際、第２の歯形レバー１４４、第４の歯形レバー１４８、第２の径方向返し部１６４および第４の径方向返し部１６８は、第１の歯形レバー１４２、第３の歯形レバー１４６、第１の径方向返し部１６２および第３の径方向返し部１６６と同様に、連続的に、雄ねじ付きの第１のスタッド１９２から離れる方向に曲がり、第１のスタッド１９２に対して跳ね返り、第１のスタッド１９２にラチェット式に係合する（図示せず）ことを理解すべきである。
【００２３】
図１０を参照すると、押込み式締結具１００から第１のスタッド１９２を分離するように力が加えられる場合、第３の歯形レバー１４６は、第１の軸方向支持部１２２に対して撓み、第３の停止部１５６に接触することができる。従って、第３の停止部１５６は、第３の歯形レバー１４６に対するハードストップを提供する。換言すれば、第３の停止部１５６は、第１の軸方向支持部１２２に対する第３の歯形レバー１４６の旋回動作を制限する。更に、第１の歯形レバー１４２は、第１の軸方向支持部１２２に対して撓み、第１の停止部１５２（図６に示す）に接触することができる。従って、第１の停止部１５２は、第１の歯形レバー１４２に対するハードストップを提供する。換言すれば、第１の停止部１５２は、第１の軸方向支持部１２２に対する第１の歯形レバー１４２の旋回動作を制限する。第２の停止部１５４は、第１の停止部１５２および第１の歯形レバー１４２と同様に、第２の歯形レバー１４４の旋回動作を制限するハードストップを提供することを理解すべきである。また、第４の停止部１５８は、第３の歯形レバー１４６および第３の停止部１５６と同様に、第４の歯形レバー１４８の旋回動作を制限するハードストップを提供することを理解すべきである。
【００２４】
図１１を参照すると、押込み式締結具１００は、第２のスタッド１９４に係合するように適合される。第２のスタッド１９４には、雄ねじが切られている。第２のスタッド１９４は、第１のスタッド１９２よりも直径が大きい。押込み式締結具１００が第２のスタッド１９４に係合した場合、第３の突出部１８６、第４の突出部１８８、第１の歯形レバー１４２、第３の歯形レバー１４６、第１の径方向返し部１６２、第３の径方向返し部１６６、第１の弧状柱１７２および第３の弧状柱１７６は、第２のスタッド１９４に接触する。第２の軸方向支持部１２４および第４の軸方向支持部１２８は、第２のスタッド１９４によって外方に反らされることを理解すべきである。押込み式締結具１００が第２のスタッド１９４に係合した場合、第２の歯形レバー１４４、第４の歯形レバー１４８、第２の径方向返し部１６４、第４の径方向返し部１６８、第２の弧状柱１７４および第４の弧状柱１７８も、第２のスタッド１９４に接触する（図示せず）ことを理解すべきである。
【００２５】
図１１を参照すると、動作時、第２のスタッド１９４が押込み式締結具１００に挿入される際、第１の歯形レバー１４２、第３の歯形レバー１４６、第１の径方向返し部１６２および第３の径方向返し部１６６は、第１のスタッド１９２（図１０に示す）と同様に、連続的に、雄ねじ付きの第２のスタッド１９４から離れる方向に曲がり、第２のスタッド１９４に対して跳ね返り、第２のスタッド１９４にラチェット式に係合する。動作時、第２の歯形レバー１４４、第４の歯形レバー１４８、第２の径方向返し部１６４および第４の径方向返し部１６８も、第１のスタッド１９２と同様に、連続的に、雄ねじ付きの第２のスタッド１９４から離れる方向に曲がり、第２のスタッド１９４に対して跳ね返り、第２のスタッド１９４にラチェット式に係合することを理解すべきである。
【００２６】
図１２を参照すると、第２の例の押込み式締結具２００は、配線保持具２０２に組み込まれた１つ以上の複数のスタッド係合機構１０６を含む。配線保持具２０２は、本体２０４およびカバー２０６を備える。本体２０４は、カバー２０６に回動可能に連結される。
【００２７】
図１２を参照すると、本体２０４は、第１の部分２０８と、第２の部分２１０と、第４の横方向バー２１２とを備える。第４の横方向バー２１２は、第１の部分２０８に連結され、第１の部分２０８から第２の部分２１０に向かって延在する。図１３を参照すると、本体２０４は、また、第５の横方向バー２１４を備える。第５の横方向バー２１４は、第１の部分２０８に連結され、第１の部分２０８から第２の部分２１０に向かって延在する。
【００２８】
図１２を参照すると、カバー２０６は、第１の部分２１６と、第２の部分２１８と、第１の横方向バー１３２と、第２の横方向バー１３４と、第３の横方向バー１３６と、第３の弧状柱１７６と、第４の弧状柱１７８と、第２の突出部１８４とを備える。第１の横方向バー１３２、第２の横方向バー１３４および第３の横方向バー１３６は、第１の部分２１６および第２の部分２１８に連結され、第１の部分２１６と第２の部分２１８との間に延在する。第３の弧状柱１７６、第４の弧状柱１７８および第２の突出部１８４は、第１の部分２１６と第２の部分２１８との間の第３の弧状柱１７６に連結され、第３の弧状柱１７６から延在する。第２の突出部１８４は、第３の弧状柱１７６と第４の弧状柱１７８との間にある。図１３を参照すると、カバー２０６は、また、第１の弧状柱１７２、第２の弧状柱１７４および第１の突出部１８２を備える。第１の弧状柱１７２、第２の弧状柱１７４および第１の突出部１８２は、第１の部分２１６と第２の部分２１８との間の第２の横方向バー１３４に連結され、第２の横方向バー１３４から延在する。第１の突出部１８２は、第１の弧状柱１７２と第２の弧状柱１７４との間にある。
【００２９】
図１３を参照すると、本体２０４は、基部１１２と、第２の歯形レバー１４４と、第３の歯形レバー１４６と、第４の歯形レバー１４８と、第１の停止部１５２と、第２の停止部１５４と、第３の停止部１５６と、第４の停止部１５８と、第１の径方向返し部１６２と、第２の径方向返し部１６４と、第３の径方向返し部１６６とを備える。基部１１２は、第１の部分２０８および第２の部分２１０に連結され、第１の部分２０８と第２の部分２１０との間に延在する。第２の歯形レバー１４４、第２の停止部１５４および第４の歯形レバー１４８は、第２の部分２１０に連結され、第２の部分２１０から第１の部分２０８に向かって延在する。第３の歯形レバー１４６および第１の停止部１５２は、第１の部分２０８に連結され、第１の部分２０８から第２の部分２１０に向かって延在する。第３の停止部１５６、第４の停止部１５８および第３の径方向返し部１６６は、基部１１２に連結され、基部１１２から延在する。図１２を参照すると、本体２０４は、また、第４の径方向返し部１６８を備える。第４の径方向返し部１６８は、基部１１２に連結され、基部１１２から延在する。従って、第１の部分２０８および第２の部分２１０は、第１の例の押込み式締結具１００の第１の軸方向支持部１２２および第３の軸方向支持部１２６（図２〜図４および図７〜図９に示す）と同様に、軸方向支持部として機能する。
【００３０】
図１２を参照すると、本体２０４は、第１の軸方向支持部２２２を備える。カバー２０６は、第２の軸方向支持部２２４を備える。第１の軸方向支持部２２２は、基部１１２および第４の横方向バー２１２に連結され、基部１１２と第４の横方向バー２１２との間に延在する。第２の径方向返し部１６４は、第１の軸方向支持部２２２に連結され、第１の軸方向支持部２２２から延在する。第２の軸方向支持部２２４は、第２の横方向バー１３４に連結され、第２の横方向バー１３４から延在する。図１３を参照すると、カバー２０６は、第３の軸方向支持部２２６を備える。本体２０４は、第４の軸方向支持部２２８を備える。第３の軸方向支持部２２６は、第３の横方向バー１３６に連結され、第３の横方向バー１３６から延在する。第４の軸方向支持部２２８は、基部１１２および第５の横方向バー２１４に連結され、基部１１２と第５の横方向バー２１４との間に延在する。第１の径方向返し部１６２は、第４の軸方向支持部２２８に連結され、第４の軸方向支持部２２８から延在する。
【００３１】
図１２を参照すると、本体２０４は、第１の返し部２３２および第１のキャッチ２３４を備える。第１の返し部２３２は、第２の部分２１０に連結され、第２の部分２１０から第１の部分２０８に向かって延在する。第１のキャッチ２３４は、第１の部分２０８に連結され、第１の部分２０８から外方に延在する。カバー２０６は、第２の返し部２３６および第２のキャッチ２３８を備える。第２の返し部２３６は、第１の部分２１６に連結され、第１の部分２１６から第２の部分２１８に向かって延在する。第２のキャッチ２３８は、第２の部分２１８に連結され、第２の部分２１８から延在する。第１の返し部２３２および第２のキャッチ２３８は、互いに選択的に互いに係止する形状になっている。第１のキャッチ２３４および第２の返し部２３６も、互いに選択的に互いに係止する形状になっている。
【００３２】
図１２を参照すると、本体２０４は、第１のチャネル２４２、第２のチャネル２４４、第３のチャネル２４６および第４のチャネル２４８を有している。カバー２０６は、第５のチャネル２５０、第６のチャネル２５２、第７のチャネル２５４および第８のチャネル２５６を有している。本体２０４には、更に、第９のチャネル２５８が形成されている。
【００３３】
押込み式締結具２００が閉鎖されると、図１３に示すように、本体２０４およびカバー２０６によって、第１の開口部２６２、第２の開口部２６４、第３の開口部２６６および第４の開口部２６８が形成される。動作時、本体２０４およびカバー２０６は、第１の返し部２３２、第２のキャッチ２３８、第１のキャッチ２３４および第２の返し部２３６を介してともに掛止することができる。より具体的には、本体２０４およびカバー２０６は、第１の開口部２６２、第２の開口部２６４、第３の開口部２６６および第４の開口部２６８のうちの１つ以上に配置された線状部品（例えば、流体ライン、ブレーキライン、燃料ライン、ワイヤ等）（図示せず）とともに掛止することができる。換言すれば、基部２０４の第１の部分２０８および第２の部分２１０と、カバー２０６の第１の部分２１６および第２の部分２１８とは、押込み式締結具２００の取付け機構として機能する。従って、押込み式締結具２００は、線状部品を支持することができる。更に、押込み式締結具２００は、線状部品の間隔を空け、かつ／または、線状部品を互いに隔離することができる。
【００３４】
図１２、１３を参照すると、押込み式締結具２００は、ヒンジ２７２を更に備える。いくつかの実施形態において、ヒンジ２７２は、可撓性のリビングヒンジである。本体２０４は、ヒンジ２７２を介してカバー２０６に回動可能に連結される。
【００３５】
上述の記載から、第１の例の押込み式締結具１００および第２の例の押込み式締結具２００は、押込み式締結具１００、２００をスタッドに設置するための設置力を低減しながら、複数のスタッドサイズに適合することが理解される。従って、押込み式締結具１００、２００は、製造設備におけるパーツ数の複雑さを低減することができる。更に、押込み式締結具１００、２００が複数のスタッドサイズに適合することにより、異なるサイズ範囲の締結具を作製するのに本来用いられていた材料を低減することができる。従って、上記に開示されている第１の例の押込み式締結具１００および第２の例の押込み式締結具２００は、既存の締結具に比べて資源の節約になる。
【００３６】
本開示の例を記載するのに「頂」、「底」、「下」、「中」、「横」、「水平」、「垂直」、「前」等の空間および方向に関する様々な用語が用いられる場合があるが、そのような用語は、図面に示す向きに関して用いられているにすぎないことが理解される。向きは、上部が下部になり、下部が上部になり、水平が垂直になる等のように、反転、回転または別様に変更することができる。
【００３７】
上述の記載の変形形態および変更形態は、本開示の範囲内にある。本明細書に開示および規定される例は、本文および／または図面において言及され、或いは、明らかである個々の特徴のうちの２つ以上のあらゆる代替的な組合せにまで及ぶことが理解される。これらの異なる組合せの全ては、本開示の種々の代替的な態様をなす。本明細書に記載される例は、本開示を実施する既知の最良の形態を説明しており、当業者が本開示を利用することを可能にする。特許請求の範囲は、従来技術によって許容される範囲まで代替的な例を含むように解釈されるべきである。
【符号の説明】
【００３８】
１００    式締結具
１０４    本体
１０６    スタッド係合機構
１１０    頂部
１１２    基部
１１４    第１の切欠き部
１１６    第２の切欠き部
１１８    開口部
１２２    第１の軸方向支持部
１２４    第２の軸方向支持部
１２６    第３の軸方向支持部
１２８    第４の軸方向支持部
１３２    第１の横方向バー
１３４    第２の横方向バー
１３６    第３の横方向バー
１３８    機構
１４０    傾斜部
１４２    第１の歯形レバー
１４４    第２の歯形レバー
１４６    第３の歯形レバー
１４８    第４の歯形レバー
１５２    第１の停止部
１５４    第２の停止部
１５６    第３の停止部
１５８    第４の停止部
１６２    第１の径方向返し部
１６４    第２の径方向返し部
１６６    第３の径方向返し部
１６８    第４の径方向返し部
１７２    第１の弧状柱
１７４    第２の弧状柱
１７６    第３の弧状柱
１７８    第４の弧状柱
１８２    第１の突出部
１８４    第２の突出部
１８６    第３の突出部
１８８    第４の突出部
１９２    第１のスタッド
１９４    第２のスタッド
２００    式締結具
２０２    配線保持具
２０４    基部
２０６    カバー
２０８    第１の部分
２１０    第２の部分
２１２    第４の横方向バー
２１４    第５の横方向バー
２１６    第１の部分
２１８    第２の部分
２２２    第１の軸方向支持部
２２４    第２の軸方向支持部
２２６    第３の軸方向支持部
２２８    第４の軸方向支持部
２３２    第１の返し部
２３４    第１のキャッチ
２３６    第２の返し部
２３８    第２のキャッチ
２４２    第１のチャネル
２４４    第２のチャネル
２４６    第３のチャネル
２４８    第４のチャネル
２５０    第５のチャネル
２５２    第６のチャネル
２５４    第７のチャネル
２５６    第８のチャネル
２５８    第９のチャネル
２６２    第１の開口部
２６４    第２の開口部
２６６    第３の開口部
２６８    第４の開口部
２７２    ヒンジ
【図１】
2020159555.tif 000003
【図２】
2020159555.tif 000004
【図３】
2020159555.tif 000005
【図４】
2020159555.tif 000006
【図５】
2020159555.tif 000007
【図６】
2020159555.tif 000008
【図７】
2020159555.tif 000009
【図８】
2020159555.tif 000010
【図９】
2020159555.tif 000011
【図１０】
2020159555.tif 000012
【図１１】
2020159555.tif 000013
【図１２】
2020159555.tif 000014
【図１３】
2020159555.tif 000015
【外国語明細書】
2020159555000001.pdf